(57)【要約】【課題】本願発明は屋内空間部の天井面に沿って、又は側面等に沿って容易に、且つスムーズ吊り張りでき、しかも、作業工程が煩雑でない屋内空間部の天井用装架体、及び屋内空間部の天井用装架体の吊り張り方法を提供することを課題とする。【解決手段】屋内空間部の天井面に沿って同形状に形成された装架体と、該装架体を天井面に連結し、且つ天井面に取り付ける取付手段とから構成されている防球・防護を目的とする屋内空間部の天井用装架体において、前記装架体を、ネット体と、該ネット体に一体的にシート体が連結、前記ネット体の一部分にシート体が連結され、又は複数枚のシート体間にネット体が直接又は間接的に連結されて形成されていることである。【選択図】図１
2020175111.tif 000002
【特許請求の範囲】
【請求項１】
屋内空間部の天井面に沿って同形状に形成された、又は所望の範囲に渡って形成された装架体と、該装架体に連結され、且つ天井面に取り付ける取付手段とから構成されている防球・防護又は落下防止を目的とする屋内空間部の天井用装架体において、前記装架体が、ネット体と該ネット体に一体的に又はネット体の一部分にシート体を配置して形成、又は複数枚のシート体間にネット体が直接又は上下方向で所望の間隔を有して間接的に配置して形成されていることを特徴とする屋内空間部の天井用装架体。
【請求項２】
屋内空間部の天井面に沿って同形状に、又は所望の範囲に渡って装架体を形成し、該装架体に天井面に取り付ける取付手段を連結した後、前記取付手段を用いて前記装架体を天井面に沿って吊り張りする屋内空間部の天井用装架体の吊り張り方法において、前記装架体を形成する際、ネット体にシート体を一体的に連結し又はネット体の一部分にシート体を配置することで前記装架体を形成する、又は複数枚のシート体間に沿って直接ネット体を連結して形成、又はシート体間の上下方向で所望の間隔を有してネット体を間接的に取り付けて形成することを特徴とする屋内空間部の天井用装架体の吊り張り方法。
【発明の詳細な説明】
【技術分野】
【０００１】本願発明は、各種スポーツの練習用、又は試合用として使用する屋内の練習場において、防球用、防護用、又は落下防止用としてその天井面に沿って吊り張りする屋内空間部の天井用装架体、及び該屋内空間部の天井用装架体の吊り張り方法に関する。
【背景技術】
【０００２】従来、屋内空間部において天井面に使用する防球・防護用、又は落下防止用のネットは、天井面に応じて同形状にネット体（本願発明において、ネット体とは網目構造を有するネットの総称で、その網目の大小は問わない）を形成した後、該ネット体の一方向に沿って所望の間隔を有して複数本の吊り張り用ロープ体を連結し、又は交差状に複数本の吊り張り用ロープ体を連結した後、前記吊り張り用ロープ体を天井面の端部側に沿って連結し架け渡すことでネット体を天井面に沿って吊り張りする。【０００３】または、天井面に応じて複数枚で同形状に形成したシート体（本願発明において、シート体とは、面状のシートの総称である）を、天井面の対向する両端側で固定具を用いて緊張した状態で取り付けることで、シート体を天井面に沿って吊り張りする。【０００４】即ち、従来の天井用ネットは、天井面に沿って同形状又は所望の形状にネット体を形成し、該ネット体を天井面に沿って吊り張りするために、天井面の全面に渡ってネット体が吊り張りされることとなる。【０００５】また、従来の天井用のシートは、天井面に沿って複数枚の帯状のシート体を形成し、該シート体を天井面に沿って吊り張りするために、天井面の全面に渡って複数枚のシート体で吊り張りされることとなる。【０００６】屋内空間部の天井面には、通常複数台の照明器具及びその他（音響機器等）が取り付けられているが、ネット体により明かりを遮ることがなく、また、落下防止としてもネット体の網目構造を小さく変更することで対応し、又はシート体の場合は、該シート体間で明かりを遮ることなく、また落下防止用としても対応している。
【発明が解決しようとする課題】
【０００７】しかしながら、上記従来の天井用ネットは、ネット体のみで形成されているために、天井面よりの細かな落下物に対しては、ネット体の網目を小さくするだけでは十分に対応できない欠点があった。
【０００８】また、ネット体のみで形成されているために、ネット体の弛みを少なくすべく天井面への取り付け個所が多く、その連結作業が煩雑であるという欠点があった。
【０００９】また、天井用のシートを用いる場合は、複数枚のシート体で構成するために、シート体間に隙間部分が生じ、この部分では天井側よりの落下防止に対応することができない欠点があった。
【００１０】さらに、シート体で形成した場合は、該シート体に一定の緊張を与えた状態で取り付けるために、その緊張を与えた状態での吊り張り作業が時間を有し煩雑であるという欠点があった。
【００１１】そこで、本発明は屋内空間部の天井用装架体は、その取り付けの作業が容易であり、天井面の形状に応じて自在に防球用等の装架体を形成でき、且つ装架体の取り付け作業、及びメンテナンス作業が安全に且つ容易に行うことができる屋内空間部の天井用装架体、及び該屋内空間部の天井用装架体の吊り張り方法を提供することを課題とする。
【課題を解決するための手段】
【００１２】本願発明の上記課題を解決する手段としての屋内空間部の天井用装架体は、請求項１に記載のように、屋内空間部の天井面に沿って同形状に形成された、又は所望の範囲に渡って形成された装架体と、該装架体に連結され、且つ天井面に取り付ける取付手段とから構成されている防球・防護又は落下防止を目的とする屋内空間部の天井用装架体において、前記装架体が、ネット体と該ネット体に一体的に又はネット体の一部分にシート体を配置して形成、又は複数枚のシート体間にネット体が直接又は上下方向で所望の間隔を有して間接的に配置して形成されていることを特徴とする。
【００１３】また、本願発明の上記課題を解決する手段としての屋内空間部の天井用装架体の吊り張り方法は、請求項２に記載のように、屋内空間部の天井面に沿って同形状に、又は所望の範囲に渡って装架体を形成し、該装架体に取付手段を連結した後、前記取付手段を用いて前記装架体を天井面に沿って吊り張りする屋内空間部の天井用装架体の吊り張り方法において、前記装架体を形成する際、ネット体にシート体を一体的に連結し、又はネット体の一部分にシート体を配置することで前記装架体を形成する、又は複数枚のシート体間に沿って直接ネット体を連結して形成する、又は複数枚のシート体間に沿って直接ネット体を連結して形成、又はシート体間に上下方向で所望の間隔を有してネット体を間接的に取り付けて形成することを特徴とする。
【発明の作用効果】
【００１４】次に、本願発明の請求項１乃至至請求項２に記載の屋内空間部の天井用装架体、及び屋内空間部の天井用装架体の吊り張り方法の作用効果を説明する。
【００１５】先ず、請求項１に記載の屋内空間部の天井用装架体は、屋内空間部の天井面に沿って同形状に形成された、又は所望の範囲に渡って形成された装架体と、該装架体に連結された天井面への取付手段とから構成されている。
【００１６】前記装架体は、ネット体にシート体を一体的に配置して形成、又はシート体をネット体の一部分に配置して（例えば、ネット体の照明器具の下方側のみシート体を配置、シート体の外周縁に沿ってネット体を連結、又は同形状に形成されたシート体の上方側、下方側にネット体を連結して一体的に連結）形成されている。
【００１７】又は、前記装架体を、天井面に沿って吊り張りされた複数枚のシート体間にネット体を直接連結して形成されている。
【００１８】又は、前記装架体を、天井面に沿って吊り張りされた複数枚のシート体間に沿って上下方向に所望の間隔を有して形成されている。
【００１９】このため、前記装架体は吊り張りする屋内空間部の天井面の形状、構造、又は設置した器具等に応じて、ネット体とシート体とを組み合わせて自在に形成することができる。
【００２０】また、装架体の強度においても、ネット体とシート体との連結位置に応じて自在に構成することができるので、強度も適切に維持でき、落下防止用としても適切に使用することができる。
【００２１】このように、本願請求項１に記載の屋内空間部の天井用装架体は、屋内空間部の天井面の形状、構造等に応じて自在に形成することができる。
【００２２】また、装架体をネット体とシート体とのあらゆる組み合わせができ、落下防止用として最適に機能することができる。
【００２３】次に、請求項２に記載された屋内空間部の天井用装架体は、屋内空間部の天井面の形状に応じて、又は所望の範囲に渡って装架体を形成し、該装架体に天井面に吊り張りするための取付手段を連結した後、該取付手段を天井面の端部側、梁等に沿ってそれぞれ取り付けることで、天井面に沿って装架体を吊り張りする。
【００２４】前記装架体を形成する際、天井面の形状、構造等に応じて天井面に吊り張りに利用するシート体をネット体と同形状に又は一部分に一体的に連結して形成、又は１枚又は複数枚のシート体をネット体の一部分に連結することで目的とする装架体を形成する。
【００２５】前記ネット体とシート体とを一体的に連結して装架体を形成する場合は、ネット体と同形状に形成されたシート体、又は所望の面積（照明器具部分等）を有するシート体をネット体と一体に連結することで強固に装架体を形成する。
【００２６】また、前記シート体をネット体の一部分に連結することで装架体を形成する場合は、所望の面積を有するシート体の外周縁に沿ってネット体を連結することで装架体を形成する、又は照明器具の下方側のみ所望の面積を有する１枚又は複数枚のシート体をネット体に連結することで装架体を形成する。
【００２７】また、天井面に沿って予め複数枚のシート体が吊り張りされている場合は、前記シート体間の隙間部分に沿って直接所望の形状（隙間部分を閉塞することができる形状）を有するネット体を連結して装架体を形成する。
【００２８】さらに、前記シート体間の隙間部分に沿ってその上方側又は下方側に所望の間隔を有してネット体を間接的に吊り張りすることで装架体を形成する。
【００２９】このように、本願請求項２に記載の屋内空間部の天井用装架体の吊り張り方法は、天井面の形状、構造等に応じて自在に装架体を形成し、最適な状態で天井面に沿って吊り張りすることができる。
【００３０】また、前記装架体の天井面に沿っての吊り張り作業が容易でありスムーズに装架体を吊り張りすることができる。
【発明を実施するための最良の形態】
【００３１】本願発明の屋内空間部の天井用装架体、及び屋内空間部の天井用装架体の吊り張り方法について図面を用いて説明する。【００３２】図１は本願発明の屋内空間部の天井用装架体の一実施例を示す概略説明平面図であり、図２は図１の屋内空間部の天井用装架体を示す概略説明側面図であり、図３は図１の天井用装架体の天井面への吊り張り状態を示す概略説明側面図であり、図４、図５、及び図６は本願発明の屋内空間部の天井用装架体の装架体の他実施例を示す概略説明平面図であり、図７及び図８は本願発明の屋内空間部の天井用装架体の取付手段の他実施例を示す概略説明平面図であり、図９及び図１０は本願発明の屋内空間部の天井用装架体の吊り張り方法を示すフローチャートである。
【実施例１】
【００３３】本願発明の屋内空間部の天井用装架体１は、屋内空間部の天井面に沿って通常は矩形状に形成された装架体２と、該装架体２を天井面に取り付ける取付手段として吊り張り用ロープ体３と、天井面の側面側に前記吊り張り用ロープ体３を連結する連結具４とから構成されている。【００３４】前記装架体２は、天井面に取り付けられた照明器具の下方側に該当する部分のみ、又はその周囲まで含む所望の面積（落下防止を可能とする面積）を有する複数枚のシート体５がネット体２Ａに一体的に連結されている。【００３５】前記シート体５はネット体２Ａに一体的に連結されているために、その形状は矩形状、円形状等屋内空間部のデザイン性を含めて自在に形成することができる。【００３６】尚、前記シート体５とネット体２Ａとの取り付けは、前記ネット体２Ａにシート体５を一体的に連結する場合に限定されるものでなく、ネット体２Ａの一部分に所望の形状を有するシート体５を連結することも可能であり、又は天井面と略同形状に形成されたシート体５の外周縁に沿って所望の面積を有するネット体２Ａを連結することで装架体２を形成することも可能である。【００３７】要は、ネット体２Ａとシート体５とで装架体２が形成されていれば、その形成方法は特に問うものでない。【００３８】前記吊り張り用ロープ体３は、前記装架体２に所望の間隔を有して複数本並行して連結することで、梁部分等を利用して複数個所で天井面と連結でき前記装架体２を強固に吊り張りすることができる。【００３９】また、前記吊り張り用ロープ体３を格子状に装架体２に連結することで、さらに強固に装架体２を天井面に吊り張りすることができる。【００４０】前記吊り張り用ロープ体３を装架体２に連結する際、前記シート体５部分は連結部分を有しないことで、ネット体２Ａに引っ張られるように吊り張りされる。【００４１】本願発明において、取付手段は前記吊り張り用ロープ体３に限定されるものでなく、例えば、天井面の側面側に沿って取付手段としての枠体３Ａを取り付け、該枠体３Ａに装架体２を連結する構成も可能である。【００４２】さらに、取付手段として、複数本の棒状体３Ｂを用いて装架体２を連結することも可能である。【００４３】要は、装架体２を天井面に沿って適切に吊り張りできるなら取付手段の構成は自在に選択することができる。【００４４】本願発明の屋内空間部の天井用装架体１は上記のように構成され、次に、該天井用装架体１を用いて屋内空間部の天井面に装架体２を吊り張りする場合について説明する。【００４５】先ず、天井面の形状に応じて基本となる装架体２を略同形状のネット体２Ａで形成する。【００４６】この際、天井面に設置された照明器具部分等に応じて該当する部分に所望の面積を有する複数枚のシート体５をそれぞれ前記ネット体２Ａに一体的に連結する。【００４７】その後、前記装架体２に並行して所望の間隔を有して取付手段としての複数本の吊り張り用ロープ体３を連結する。【００４８】前記吊り張り用ロープ体３の装架体２への連結は、ネット体２Ａの網目部分に編み込むことで、確実に装架体２を連結することができる。【００４９】次に、前記吊り張り用ロープ体３を天井面の対向する側面側にそれぞれ連結具４を介して連結するとともに、天井面の梁部分を利用して複数個所で装架体２のネット体２Ａ部分を直接又は間接的に連結する。【００５０】これにより、前記装架体２を天井面に沿って吊り張りすることができ、前記装架体２を形成するネット体２Ａ及びシート体５部分で天井面よりの落下防止を確実に行うことができる。【００５１】即ち、ネット体２Ａ部分で大半の落下物の落下を防止し、シート体５部分で細やかな落下物の落下を防止できる。【００５２】また、同様に天井面の防球・防護用としても適切に機能することとなる。【００５３】しかも、取付手段としての吊り張り用ロープ体３で装架体２を吊り張りするために、その吊り張り作業、及びメンテナンス作業が容易であり、作業効率を向上することができる。【００５４】このように、本願発明の屋内空間部の天井用装架体１は、その吊り張り作業が容易であり、安全に装架体２の吊り張りを行うことができる。
【実施例２】
【００５５】本願発明の屋内空間部の天井用装架体１は、天井面に沿って吊り張りするための帯状の複数枚のシート体５と、該シート体５間にそれぞれ一体的に連結された帯状のネット体２Ａとから形成されている装架体２と、該装架体２を天井面に沿って吊り張りする取付手段としての吊り張り用ロープ体３とから構成されている。【００５６】前記ネット体２Ａは、帯状に成形された各シート体５の隣り合う側面間に沿って取り付けられ、シート体５間よりの落下防止効果を得るとともに、照明器具の明かりを床面側に届ける役目を行うことができる。【００５７】前記ネット体２Ａは、前記シート体５に直接連結することに限定されるものでなく、例えば、前記シート体５間の上方側、又は下方側に所望の距離を有して該幅より幅広の帯状に形成して吊り張りすることも可能である。【００５８】本願発明の屋内空間部の天井用装架体１は上記のように構成され、次に該屋内空間部の天井用装架体１を吊り張りする場合について説明する。【００５９】先ず、屋内空間部の天井面に沿って複数枚の帯状のシート体５をそれぞれ並行して吊り張りする。【００６０】前記シート体５の枚数は天井面の照明器具に応じて決定され、そのシート体５間を利用して照明を床面側に届けることが可能である。【００６１】前記シート体５の吊り張りは、長尺状の両端側をそれぞれ固定具（図示せず）で天井面の対向する側面側で固定することで吊り張りする。【００６２】前記シート体５はそれぞれ隣り合うシート体５間に天井面の照明器具に沿って該照明光を床面側に届けるための帯状の空間部が形成される。【００６３】そこで、前記シート体５間の帯状の空間部の形状に応じて同形状より幅広のネット体Ａの長尺状の両端を前記隣り合うシート体５間の側面に沿って紐状体（図示せず）で連結することで、天井面の全面に渡って装架体２を吊り張りすることができる。【００６４】尚、前記ネット体２Ａは前記シート体５の側面に直接連結する場合に限定されるものでなく、前記シート体５間の隙間部分を閉塞可能な形状に形成されたネット体２Ａを前記シート体５間の隙間部分の上方側、又は下方側に所望の距離を有して間接的取り付けることで、同様の効果を得ることも可能である。【００６５】このように、本願発明の屋内空間部の天井用装架体１を主とする天井面において適切に吊り張りすることができ、天井面よりの落下防止効果を向上することができる。【００６６】また、シート体５の取り付け方法により前記空間部の形状を自在に調整でき、天井面の照明器具に形状等に応じて自在に調整することができる。
【図面の簡単な説明】
【００６７】
【図１】本願発明の屋内空間部の天井用装架体の一実施例を示す概略説明正面図
【図２】図１の屋内空間部の天井用装架体の装架体を示す概略説明側面図
【図３】図１の屋内空間部の天井用装架体の取り付け状態を示す概略説明側面図
【図４】本願発明の屋内空間部の天井用装架体の装架体の他実施例を示す概略説明平面図
【図５】本願発明の屋内空間部の天井用装架体の装架体の他実施例を示す概略説明平面図
【図６】本願発明の屋内空間部の天井用装架体の装架体の一実施例を示す概略説明正面図
【図７】本願発明の屋内空間部の天井用装架体の取付手段の他実施例を示す概略説明平面図
【図８】本願発明の屋内空間部の天井用装架体の取付手段の他実施例を示す概略説明平面図
【図９】本願発明の屋内空間部の天井用装架体の吊り張り方法を示すフローチャート
【図１０】本願発明の屋内空間部の天井用装架体の吊り張り方法を示すフローチャート
【符号の説明】
【００６８】１−天井用装架体、２−装架体、２Ａ−ネット体、３−吊り張り用ロープ体、４−連結具、５−シート体
【図１】
2020175111.tif 000003
【図２】
2020175111.tif 000004
【図３】
2020175111.tif 000005
【図４】
2020175111.tif 000006
【図５】
2020175111.tif 000007
【図６】
2020175111.tif 000008
【図７】
2020175111.tif 000009
【図８】
2020175111.tif 000010
【図９】
2020175111.tif 000011
【図１０】
2020175111.tif 000012